(57)【要約】【課題】データ通信におけるユーザの体感品質の低下を防ぐことを図る。【解決手段】ユーザの評価が良いコンテンツを格納するコンテンツデータベース１１と、通信回線を介してデータを受信する待ち時間に、コンテンツデータベース１１内のユーザの評価が良いコンテンツを再生させるコンテンツ選択部１２と、を備える。【選択図】図２
2012231320.tif 000002
【特許請求の範囲】
【請求項１】
ユーザの評価が良いコンテンツを格納するコンテンツデータベースと、
通信回線を介してデータを受信する待ち時間に、前記コンテンツデータベース内のユーザの評価が良いコンテンツを再生させるコンテンツ選択部と、
を備えたことを特徴とする通信端末。
【請求項２】
前記待ち時間に再生したコンテンツに対するユーザの評価に基づいて、前記コンテンツデータベース内のコンテンツの評価を更新する品質評価部を備えたことを特徴とする請求項１に記載の通信端末。
【請求項３】
前記品質評価部は、あるコンテンツに対するユーザの評価に基づいて、当該コンテンツに類似するコンテンツに対する評価を更新する、
ことを特徴とする請求項２に記載の通信端末。
【請求項４】
前記待ち時間に再生したコンテンツに対するユーザの評価を入力する品質入力部を備えたことを特徴とする請求項２又は３に記載の通信端末。
【請求項５】
前記品質入力部は、再生されたコンテンツの評価に関する質問事項を表示画面上に表示させ、当該質問事項に対して入力された回答を前記品質評価部へ出力する、
ことを特徴とする請求項４に記載の通信端末。
【請求項６】
前記待ち時間に再生したコンテンツに対するユーザの反応を示す情報を取得するユーザ情報取得部と、
前記ユーザ情報取得部が取得した情報に基づいて、前記待ち時間に再生したコンテンツに対するユーザの評価を推定する品質推定部と、
を備えたことを特徴とする請求項２から５のいずれか１項に記載の通信端末。
【請求項７】
前記ユーザ情報取得部は、前記待ち時間に再生したコンテンツをユーザが閲覧した時間を計測し、
前記品質推定部は、前記ユーザ情報取得部が計測した閲覧時間の長さに基づいて、前記待ち時間に再生したコンテンツに対するユーザの評価を推定する、
ことを特徴とする請求項６に記載の通信端末。
【請求項８】
前記ユーザ情報取得部は、前記待ち時間にコンテンツを再生している最中において、ユーザの生理現象を観測し、
前記品質推定部は、前記ユーザ情報取得部が観測した観測データに基づいて、前記待ち時間に再生したコンテンツに対するユーザの評価を推定する、
ことを特徴とする請求項６に記載の通信端末。
【請求項９】
通信回線を介してデータを受信する待ち時間を推定する待ち時間推定部を備え、
前記コンテンツ選択部は、前記推定された待ち時間に合う再生時間のコンテンツを前記コンテンツデータベースから選択することを特徴とする請求項１から８のいずれか１項に記載の通信端末。
【請求項１０】
各前記通信端末間で、コンテンツに対するユーザの評価データをコピーすることを特徴とする請求項１から９のいずれか１項に記載の通信端末。
【請求項１１】
ユーザの評価が良いコンテンツに類似するコンテンツを、通信回線を介して取得して前記コンテンツデータベースに格納させるコンテンツ取得部を備えたことを特徴とする請求項１から１０のいずれか１項に記載の通信端末。
【請求項１２】
請求項１１に記載の通信端末と、
通信回線を介してコンテンツを送信するコンテンツ配信装置と、
を備えたことを特徴とするコンテンツ配信システム。
【請求項１３】
前記通信端末は、コンテンツに対するユーザの評価を前記コンテンツ配信装置へ送信し、
前記コンテンツ配信装置は、
コンテンツをコンテンツ属性で分類して蓄積するコンテンツデータベースと、
複数の前記通信端末から受信したコンテンツに対するユーザの評価に基づいてユーザの評価が良いコンテンツのコンテンツ属性間の相関を求め、前記コンテンツデータベース内のコンテンツのコンテンツ属性を関連付ける統計品質推定部と、を備え、前記関連付けられたコンテンツ属性のコンテンツを配信対象にする、
ことを特徴とする請求項１２に記載のコンテンツ配信システム。
【請求項１４】
前記コンテンツ配信装置は、通信トラヒックの閑散時にコンテンツを配信することを特徴とする請求項１２又は１３に記載のコンテンツ配信システム。
【発明の詳細な説明】
【技術分野】
【０００１】
本発明は、通信端末、及びコンテンツ配信システムに関する。
【背景技術】
【０００２】
近年、移動体通信ビジネスでは、通信データ量の増大と通信の多様化を実現する通信サービスがユーザから求められており、ユーザからの様々な品質要求に応えることができる通信ネットワークシステムが必要となってきている。一方で大容量の通信ネットワークシステムの構築には多大なコストがかかることから、通信ネットワークシステムの利用効率を向上させる技術が検討されている。例えば、非特許文献１に記載の従来技術では、マルチキャストを行う方法（ＢＣＭＣＳ）によって、同一チャネルを複数のユーザで共有することができる。特許文献１に記載の従来技術では、多数の通信が行われる時間帯に発生するトラヒックのうち即応性の要求がないトラヒックを、あまり通信が行われない時間帯に振り分けるように制御している。
【先行技術文献】
【特許文献】
【０００３】
【特許文献１】特開２０１０−２２６３４２号公報
【非特許文献】
【０００４】
【非特許文献１】J. Wang, R. Sinnarajah, T. Chen, Y. Wei, and E. Tiedemann, “Broadcast and Multicast Services in cdma2000,” IEEE Communication Magazine, vol. 2004, pp. 76-82.
【発明の概要】
【発明が解決しようとする課題】
【０００５】
しかし、上述したマルチキャストを行う方法では、複数のユーザに対して同一のコンテンツを配信するので、個々のユーザの要求に応えることができない。又、ネットワーク利用率の平滑化を目指す方法では、即応性の高いトラヒックが集中する時間帯には効果が薄くなってユーザの満足度が低下する恐れがある。
【０００６】
本発明は、このような事情を考慮してなされたもので、データ通信におけるユーザの体感品質の低下を防ぐことができる通信端末、及びコンテンツ配信システムを提供することを課題とする。
【課題を解決するための手段】
【０００７】
上記の課題を解決するために、本発明に係る通信端末は、ユーザの評価が良いコンテンツを格納するコンテンツデータベースと、通信回線を介してデータを受信する待ち時間に、前記コンテンツデータベース内のユーザの評価が良いコンテンツを再生させるコンテンツ選択部と、を備えたことを特徴とする。
【０００８】
本発明に係る通信端末においては、前記待ち時間に再生したコンテンツに対するユーザの評価に基づいて、前記コンテンツデータベース内のコンテンツの評価を更新する品質評価部を備えたことを特徴とする。
本発明に係る通信端末において、前記品質評価部は、あるコンテンツに対するユーザの評価に基づいて、当該コンテンツに類似するコンテンツに対する評価を更新する、ことを特徴とする。
【０００９】
本発明に係る通信端末においては、前記待ち時間に再生したコンテンツに対するユーザの評価を入力する品質入力部を備えたことを特徴とする。
本発明に係る通信端末において、前記品質入力部は、再生されたコンテンツの評価に関する質問事項を表示画面上に表示させ、当該質問事項に対して入力された回答を前記品質評価部へ出力する、ことを特徴とする。
【００１０】
本発明に係る通信端末においては、前記待ち時間に再生したコンテンツに対するユーザの反応を示す情報を取得するユーザ情報取得部と、前記ユーザ情報取得部が取得した情報に基づいて、前記待ち時間に再生したコンテンツに対するユーザの評価を推定する品質推定部と、を備えたことを特徴とする。
本発明に係る通信端末において、前記ユーザ情報取得部は、前記待ち時間に再生したコンテンツをユーザが閲覧した時間を計測し、前記品質推定部は、前記ユーザ情報取得部が計測した閲覧時間の長さに基づいて、前記待ち時間に再生したコンテンツに対するユーザの評価を推定する、ことを特徴とする。
本発明に係る通信端末において、前記ユーザ情報取得部は、前記待ち時間にコンテンツを再生している最中において、ユーザの生理現象を観測し、前記品質推定部は、前記ユーザ情報取得部が観測した観測データに基づいて、前記待ち時間に再生したコンテンツに対するユーザの評価を推定する、ことを特徴とする。
【００１１】
本発明に係る通信端末においては、通信回線を介してデータを受信する待ち時間を推定する待ち時間推定部を備え、前記コンテンツ選択部は、前記推定された待ち時間に合う再生時間のコンテンツを前記コンテンツデータベースから選択することを特徴とする。
【００１２】
本発明に係る通信端末においては、各前記通信端末間で、コンテンツに対するユーザの評価データをコピーすることを特徴とする。
【００１３】
本発明に係る通信端末においては、ユーザの評価が良いコンテンツに類似するコンテンツを、通信回線を介して取得して前記コンテンツデータベースに格納させるコンテンツ取得部を備えたことを特徴とする。
本発明に係るコンテンツ配信システムは、前述の通信端末と、通信回線を介してコンテンツを送信するコンテンツ配信装置と、を備えたことを特徴とする。
【００１４】
本発明に係るコンテンツ配信システムにおいて、前記通信端末は、コンテンツに対するユーザの評価を前記コンテンツ配信装置へ送信し、前記コンテンツ配信装置は、コンテンツをコンテンツ属性で分類して蓄積するコンテンツデータベースと、複数の前記通信端末から受信したコンテンツに対するユーザの評価に基づいてユーザの評価が良いコンテンツのコンテンツ属性間の相関を求め、前記コンテンツデータベース内のコンテンツのコンテンツ属性を関連付ける統計品質推定部と、を備え、前記関連付けられたコンテンツ属性のコンテンツを配信対象にする、ことを特徴とする。
【００１５】
本発明に係るコンテンツ配信システムにおいて、前記コンテンツ配信装置は、通信トラヒックの閑散時にコンテンツを配信することを特徴とする。
【発明の効果】
【００１６】
本発明によれば、データ通信におけるユーザの体感品質の低下を防ぐ効果が得られる。
【図面の簡単な説明】
【００１７】
【図１】本発明の一実施形態に係るコンテンツ配信システムの概略構成図である。
【図２】図１に示すユーザ端末１の構成例である。
【図３】図１に示すコンテンツ配信サーバ４の構成例である。
【図４】本発明の他の実施形態に係るコンテンツ配信システムの概略構成図である。
【発明を実施するための形態】
【００１８】
以下、図面を参照し、本発明の実施形態について説明する。
図１は、本発明の一実施形態に係るコンテンツ配信システムの概略構成図である。図１において、ユーザ端末１は、ユーザ１００によって使用される通信端末である。図１の例では、ユーザ端末１は、移動端末であり、例えば、携帯電話機、スマートホン、ノート型パーソナルコンピュータなどである。ユーザ端末１は、移動通信システムの基地局２と無線接続することによってデータ通信を行うことができる。
【００１９】
基地局２及びコンテンツ配信サーバ４は、インターネット等のネットワーク３に接続される。コンテンツ配信サーバ４は、ユーザからの要求に応じてコンテンツを配信する。コンテンツは画像（静止画又は動画）である。ユーザ端末１は、コンテンツ配信サーバ４にアクセスしてコンテンツを取得することができる。
【００２０】
図２は、図１に示すユーザ端末１の構成例である。図２において、ユーザ端末１は、コンテンツデータベース１１、コンテンツ選択部１２、表示部１３、コンテンツ取得部１４、待ち時間推定部１５、通信部１６、操作部１７、品質入力部１８、ユーザ情報取得部１９、品質推定部２０、及び品質評価部２１を備える。
【００２１】
コンテンツデータベース１１は、ユーザ１００の評価が良いコンテンツを格納する。コンテンツデータベース１１が格納するコンテンツは画像（静止画又は動画）である。なお、コンテンツデータベース１１内の個々のコンテンツに対して、ユーザ１００の評価を表す評価データを付加しておいてもよい。又、コンテンツデータベース１１内の個々のコンテンツに対して、コンテンツ属性を付加しておいてもよい。
【００２２】
コンテンツ選択部１２は、通信部１６が通信回線を介してデータを受信する待ち時間に、コンテンツデータベース１１内のユーザ１００の評価が良いコンテンツを表示部１３の表示画面上に表示させる。例えば、ユーザ１００がユーザ端末１を用いてインターネット上のサーバにアクセスしてデータをダウンロードする待ち時間において、コンテンツ選択部１２は、コンテンツデータベース１１内のユーザ１００の評価が良いコンテンツを表示部１３の表示画面上に表示させる。このため、データを受信する待ち時間にはユーザ１００の評価が良いコンテンツが表示画面上に表示されているので、ユーザ１００にとってはデータ受信完了までに多少待たされたとしてもあまり気にならないことが期待できる。これにより、データ通信におけるユーザの体感品質の低下を防ぐ効果が得られる。
【００２３】
表示部１３は、液晶表示装置等の表示装置を有し、静止画や動画などの画像を表示することができる。
【００２４】
コンテンツ取得部１４は、ユーザ１００の評価が良いコンテンツに類似するコンテンツを、通信部１６によりコンテンツ配信サーバ４にアクセスして取得する。コンテンツ取得部１４は、コンテンツ配信サーバ４から取得したコンテンツをコンテンツデータベース１１に格納する。
【００２５】
通信部１６は、基地局２と無線接続することによってデータ通信を行う。通信部１６は、例えばコンテンツ配信サーバ４との間でデータを送受することができる。
【００２６】
待ち時間推定部１５は、通信部１６によりデータを受信する待ち時間を推定する。待ち時間推定部１５は、例えば受信するデータ量に基づいて待ち時間を推定する。なお、コンテンツ選択部１２は、待ち時間推定部１５が推定した待ち時間に合う再生時間のコンテンツをコンテンツデータベース１１から選択するようにしてもよい。コンテンツ選択部１２は、例えば推定された待ち時間と同等の再生時間のコンテンツをコンテンツデータベース１１から選択する。
【００２７】
操作部１７は、キーボード、マウス等の入力装置を有する。ユーザ１００は、操作部１７により、データを入力したり、表示画面上の操作箇所を操作したりすることができる。又、操作部１７は、マイクロホンを有し、ユーザ１００の音声を入力するようにしてもよい。
【００２８】
品質入力部１８は、待ち時間に再生したコンテンツに対するユーザ１００の評価を入力する。品質入力部１８は、例えば、コンテンツを再生した後に、当該コンテンツの評価に関する質問事項を表示画面上に表示させて、ユーザ１００からの回答を促す。そして、ユーザ１００が表示画面上に表示された質問事項に対する回答を操作部１７により入力すると、品質入力部１８は、操作部１７から入力された回答を受け取って品質評価部２１へ出力する。なお、コンテンツ評価に関する質問事項をユーザ１００に提示するタイミングは任意のタイミングにしてもよい。又、品質入力部１８は、操作部１７から入力された音声信号に対して音声認識処理を行ってテキストデータを生成し、このテキストデータから回答を取得するようにしてもよい。
【００２９】
品質評価部２１は、品質入力部１８から入力されたユーザ１００の評価に基づいて、コンテンツデータベース１１に対し、該当するコンテンツの評価を更新する。なお、品質評価部２１は、あるコンテンツ（コンテンツＡとする）に対するユーザ１００の評価に基づいて、コンテンツデータベース１１に対し、コンテンツＡに類似するコンテンツ（例えば、コンテンツＡと同じコンテンツ属性であるコンテンツ）に対する評価を更新するようにしてもよい。
【００３０】
ユーザ情報取得部１９は、待ち時間に再生したコンテンツに対するユーザ１００の反応を示す情報を取得する。ユーザ情報取得部１９は、その取得した情報を品質推定部２０へ出力する。品質推定部２０は、ユーザ情報取得部１９から入力された情報に基づいて、待ち時間に再生したコンテンツに対するユーザ１００の評価を推定する。品質推定部２０は、その推定結果を品質評価部２１へ出力する。
【００３１】
（例１）ユーザ情報取得部１９は、待ち時間に再生したコンテンツをユーザ１００が閲覧した時間を計測し、この閲覧時間を品質推定部２０へ出力する。そして、品質推定部２０は、その閲覧時間の長さに基づいて、待ち時間に再生したコンテンツに対するユーザの評価を推定する。例えば、待ち時間に再生したコンテンツの再生時間と閲覧時間とを比較して最後まで閲覧したか否かを判断し、最後まで閲覧した場合には評価を「良」とし、途中で閲覧を止めた場合には評価を「不良」とする。
【００３２】
（例２）ユーザ情報取得部１９は、待ち時間にコンテンツを再生している最中において、ユーザ１００の生理現象を観測し、この観測データを品質推定部２０へ出力する。生理現象としては、例えば、視線、心拍数、発汗量などである。そして、品質推定部２０は、その観測データに基づいて、待ち時間に再生したコンテンツに対するユーザの評価を推定する。例えば、視線が、表示画面上に注視されている場合には評価を「良」とし、表示画面上に注視されていない場合には評価を「不良」とする。又、心拍数や発汗量については、平常時の観測値と比較してストレス状態にあるか否かを判断し、ストレス状態にない場合には評価を「良」とし、ストレス状態にある場合には評価を「不良」とする。
【００３３】
なお、品質評価部２１は、コンテンツデータベース１１に対してコンテンツの評価を更新する際に、品質推定部２０から入力されたユーザ評価推定結果を用いるようにしてもよい。例えば、品質評価部２１は、品質推定部２０から入力されたユーザ評価推定結果のみを用いて、コンテンツデータベース１１に対し、コンテンツの評価を更新してもよい。又は、品質評価部２１は、品質推定部２０から入力されたユーザ評価推定結果と品質入力部１８から入力されたユーザ１００の評価とを用いて、コンテンツデータベース１１に対し、コンテンツの評価を更新してもよい。
【００３４】
図３は、図１に示すコンテンツ配信サーバ４の構成例である。図３において、コンテンツ配信サーバ４は、通信部４１とコンテンツ配信部４２とコンテンツデータベース４３と統計品質推定部４４とを備える。
【００３５】
通信部４１は、ネットワーク３を介してユーザ端末１との間でデータを送受する。コンテンツ配信部４２は、通信部４１によりコンテンツをユーザ端末１へ配信する。コンテンツデータベース４３は、コンテンツとして画像（静止画又は動画）を蓄積している。なお、コンテンツデータベース４３内の個々のコンテンツに対して、コンテンツ属性を付加しておいてもよい。
【００３６】
統計品質推定部４４は、通信部４１により各ユーザ端末１から、コンテンツに対するユーザ１００の評価を受信する。ユーザ端末１において、品質評価部２１は、通信部１６によりコンテンツ配信サーバ４へ、コンテンツに対するユーザ１００の評価を送信する。
【００３７】
統計品質推定部４４は、各ユーザ端末１から受信したユーザ評価に基づいて、類似するコンテンツに対するユーザ評価の統計値を算出する。そして、統計品質推定部４４は、コンテンツデータベース４３内の類似するコンテンツに対し、共通のユーザ評価として、そのユーザ評価の統計値を付加する。類似するコンテンツとしては、例えば、コンテンツ属性が同じであるコンテンツである。
【００３８】
又、統計品質推定部４４は、各ユーザ端末１から受信したユーザ評価に基づいて、ユーザ評価が良いコンテンツのコンテンツ属性間の相関を求め、コンテンツデータベース４３内のコンテンツのコンテンツ属性を関連付けるようにしてもよい。例えば、あるユーザ１００（ユーザａ）がコンテンツ属性「イタリア」のコンテンツとコンテンツ属性「パスタ」のコンテンツとを「良」と評価したとする。この場合、他のユーザ１００（ユーザｂ）がコンテンツ属性「イタリア」のコンテンツを「良」と評価したならば、ユーザｂはコンテンツ属性「パスタ」のコンテンツも「良」と評価する可能性が高いと想定する。これにより、コンテンツ属性「イタリア」とコンテンツ属性「パスタ」とが評価「良」に関する相関が高いならば、コンテンツデータベース４３において、コンテンツ属性「イタリア」とコンテンツ属性「パスタ」とを関連付ける。これにより、コンテンツ属性「イタリア」のコンテンツとコンテンツ属性「パスタ」のコンテンツとを類似するコンテンツとして扱うことができる。
【００３９】
なお、コンテンツ配信部４２は、通信トラヒックの閑散時にコンテンツを配信するようにしてもよい。これにより、ネットワーク３に対する負荷の軽減を図る。
【００４０】
以上、本発明の実施形態について図面を参照して詳述してきたが、具体的な構成はこの実施形態に限られるものではなく、本発明の要旨を逸脱しない範囲の設計変更等も含まれる。
例えば、上述した実施形態では、コンテンツは画像（静止画又は動画）であるとしたが、コンテンツとして楽曲を用い、通信回線を介してデータを受信する待ち時間に、ユーザの評価が良い楽曲を再生するようにしてもよい。又、コンテンツとしてテキストデータを用い、通信回線を介してデータを受信する待ち時間に、ユーザの評価が良いテキストデータを表示再生するようにしてもよい。
【００４１】
又、図４に示されるように、複数のコンテンツ配信サーバ４を設けるようにしてもよい。図４において、コンテンツ管理サーバ５は、コンテンツに対するユーザ１００の評価を集中的に管理する機能を有する。なお、コンテンツ管理サーバ５を設けず、各コンテンツ配信サーバ４が、自身で保持するコンテンツに対するユーザ１００の評価を管理するのみであってもよい。
【００４２】
又、各ユーザ１００のユーザ端末１間で、コンテンツに対するユーザの評価データをコピーするようにしてもよい。評価データのコピーは、ユーザ端末１間で直接的に（例えば近距離無線通信で）行うようにしてもよく、或いは、ネットワーク３に接続されるサーバを介して行ってもよい。
【符号の説明】
【００４３】
１…ユーザ端末（通信端末）、２…基地局、３…ネットワーク、４…コンテンツ配信サーバ、１１，４３…コンテンツデータベース、１２…コンテンツ選択部、１３…表示部、１４…コンテンツ取得部、１５…待ち時間推定部、１６，４１…通信部、１７…操作部、１８…品質入力部、１９…ユーザ情報取得部、２０…品質推定部、２１…品質評価部、４２…コンテンツ配信部、４４…統計品質推定部
【図１】
2012231320.tif 000003
【図２】
2012231320.tif 000004
【図３】
2012231320.tif 000005
【図４】
2012231320.tif 000006